(57)【要約】【課題】  複数のモードで画像の選択情報を、各モードに適した状態で表示することができる画像選択情報表示装置、印刷装置及び画像選択情報表示方法を提供する。【解決手段】  コントローラ１６は、複合機１の処理モードを選択させる選択画面で印刷モードが選択されると、プレビューモニタ５に印刷用画像一覧画面を表示させる。この印刷用画像一覧画面には外部記憶メディア３内の画像が一覧表示され、コントローラ１６は、一覧画像の中で印刷対象として選択指定された画像に印刷枚数を表示する。また、上述した選択画面上で保存モードが選択されると、コントローラ１６はプレビューモニタ５に保存用画像一覧画面を表示させる。この保存用画像一覧画面にも外部記憶メディア３内の画像が一覧表示され、コントローラ１６は保存対象として指定された画像に対し、その画像のチェックボックス内に保存チェックを付与する。【選択図】      図３
2006094426.tif 000002
【特許請求の範囲】
【請求項１】
画面を有する表示手段と、
装置の処理モードを設定するモード設定手段と、
前記モード設定手段で設定された各処理モードの実行時、そのモードでの処理対象となる画像を指定する際、取り込んだ画像データに基づき少なくとも１以上の画像を前記表示手段に表示させるとともに、画像を指定するための選択情報を各モードに応じた表示形態で前記表示手段に表示させる表示制御手段と
を備えたことを特徴とする画像選択情報表示装置。
【請求項２】
前記表示制御手段は、前記選択情報を前記画面に表示される画像上に表示することを特徴とする請求項１に記載の画像選択情報表示装置。
【請求項３】
前記モード設定手段は、選択された画像に第１処理を行う第１モードと、選択された画像に第２処理を行う第２モードとの少なくとも２モードに前記処理モードを設定し、
前記表示制御手段は、前記処理モードが前記第１モードの場合、前記選択情報として前記第１処理を施す枚数を指定する表示を画面に表示し、前記処理モードが第２モードの場合、前記選択情報として前記第２処理の対象であることを指定する表示を画面に表示させることを特徴とする請求項１又は２に記載の画像選択情報表示装置。
【請求項４】
前記第１モードは、選択された画像に対し前記第１処理として印刷処理を行う印刷モードであり、前記第２モードは、選択された画像に対し前記第２処理として保存処理を行う保存モードであることを特徴とする請求項３に記載の画像選択情報表示装置。
【請求項５】
前記モード設定手段が複数の前記処理モードのうち特定の処理モードを設定する場合に、前記表示制御手段は、前記画面に表示された複数画像のうち、該特定の処理モードでの処理の対象となる各画像に対し、前記選択情報として当該処理のための処理条件を表示することを特徴とする請求項１又は２に記載の画像選択情報表示装置。
【請求項６】
画像をスキャン可能なスキャン手段と、記憶媒体の画像を読み取り可能な読取手段とのうち、少なくともこれらの一方を画像の取込先として指定する指定手段を備え、
前記モード設定手段は、前記指定手段で指定された取込先に準ずる動作モード下で、前記処理モードのモード設定を行うことを特徴とする請求項１〜５のうちいずれか一項に記載の画像選択情報表示装置。
【請求項７】
前記画面の表示画像のうち所定の画像を選択する選択手段と、一方側が操作されると画面上の数値が増加し、他方側が操作されると画面上の数値が減少する対の入力手段とを備え、
前記表示制御手段は、前記処理モードが印刷モードの場合、前記選択手段による選択状態の画像に関し、前記入力手段の一方側が操作されると前記選択情報としての印刷枚数の数値表示を増加させ、前記入力手段の他方側が操作されると前記印刷枚数の数値表示を減少させ、
前記表示制御手段は、前記処理モードが保存モードの場合、前記選択手段による選択状態の画像に関し、前記入力手段の一方側が操作されると前記選択情報として保存対象指定表示を付与し、前記入力手段の他方側が操作されると前記保存対象指定表示を消去することを特徴とする請求項６に記載の画像選択情報表示装置。
【請求項８】
印刷対象として選択された画像の総印刷枚数を算出する総印刷枚数算出手段と、
保存対象として選択された画像を記憶媒体に記憶する際に、前記保存対象の画像のデータ容量及び前記記憶媒体の総記憶容量とに基づき当該記憶媒体の残り記憶容量を算出する残り記憶容量算出手段とを備え、
前記表示制御手段は、前記処理モードが印刷モードの場合、前記総印刷枚数算出手段が算出した総印刷枚数を前記選択情報とともに画面に表示させ、前記処理モードが保存モードの場合、前記残り記憶容量算出手段が算出した前記記憶媒体の残り記憶容量を前記選択情報とともに画面に表示させることを特徴とする請求項６又は７に記載の画像選択情報表示装置。
【請求項９】
前記モード設定手段は、印刷モード及び保存モードの他に、印刷対象として選択された画像を印刷処理するとともに記憶媒体への保存も行う印刷保存モードを処理モードとして実行可能であり、
前記印刷保存モードを実行した際に、印刷対象として選択された画像を、入力指定された印刷枚数分だけ印刷出力するとともに、その印刷対象の各画像を１枚分ずつ前記記憶媒体に保存する印刷保存実行手段を備えたことを特徴とする請求項１〜７のうちいずれか一項に記載の画像選択情報表示装置。
【請求項１０】
請求項１〜９のうちいずれか一項に記載の画像選択情報表示装置と、
記憶媒体の画像を読み取り可能な読取手段と、
前記読取手段で読み取られた画像データを印刷媒体に印刷出力可能な印刷機構と
を備えた印刷装置。
【請求項１１】
請求項１〜９のうちいずれか一項に記載の画像選択情報表示装置と、
画像をスキャン可能なスキャン手段と、
記憶媒体の画像を読み取り可能な読取手段と、
前記スキャン手段でスキャンされた画像データ、及び前記読取手段で読み取られた画像データを印刷媒体に印刷出力可能な印刷機構と
を備えた印刷装置。
【請求項１２】
画面を有する表示手段と、装置の処理モードを設定するモード設定手段と、前記表示手段の画面表示を制御する表示制御手段とを備えた画像選択情報表示装置の画像選択情報表示方法であって、
前記モード設定手段で設定された各処理モードの実行時、そのモードでの処理対象となる画像を指定する際、前記表示制御手段は、取り込んだ画像データに基づき少なくとも１以上の画像を前記表示手段に表示させるとともに、画像を指定するための選択情報を各モードに応じた表示形態で前記表示手段に表示させることを特徴とする画像選択情報表示方法。
【発明の詳細な説明】
【技術分野】
【０００１】
本発明は、取り込んだ画像に関して選択情報を表示画像選択情報表示装置、印刷装置及び画像選択情報示方法に関する。
【背景技術】
【０００２】
従来、印刷装置の一機種として、１台でスキャナ機能、プリント機能及びコピー機能を満たす機種（複合機）が開発されている。この複合機としては、複合機のスロットにメモリーカード等の外部記憶メディアを挿し込み、ホストコンピュータを通さずに印刷出力（通称、ダイレクト印刷）が可能な機種がある。この機種の場合、複合機にモニタを設置し、そのモニタに外部記憶メディア内の画像を表示させ、印刷出力すべき画像を選択指定する必要があるが、この種の技術が例えば特許文献１に開示されている。同文献１の技術はデジタルスチルカメラであるが、これを印刷装置に転用することも可能である。
【特許文献１】特開２００４−１０４８１８号（第７−９頁、第１図）
【発明の開示】
【発明が解決しようとする課題】
【０００３】
ところで、この種の複合機には、ダイレクト印刷（印刷モード）の他に、ある所定のメモリから他のメモリへ画像を保存するバックアップ（保存モード）を実行可能な機種もある。この保存モードの例としては、例えばメモリーカードからＣＤ−Ｒドライブ等に画像を保存する例がある。しかし、このバックアップでは、メモリカード内の画像を全て他のメモリにバックアップするのではなく、メモリカード内の画像を指定してバックアップしたいという要望があった。
【０００４】
本発明の目的は、複数のモードで画像の選択情報を、各モードに適した状態で表示することができる画像選択情報表示装置、印刷装置及び画像選択情報表示方法を提供することにある。
【課題を解決するための手段】
【０００５】
上記問題点を解決するために、本発明では、画面を有する表示手段と、装置の処理モードを設定するモード設定手段と、前記モード設定手段で設定された各処理モードの実行時、そのモードでの処理対象となる画像を指定する際、取り込んだ画像データに基づき少なくとも１以上の画像を前記表示手段に表示させるとともに、画像を指定するための選択情報を各モードに応じた表示形態で前記表示手段に表示させる表示制御手段とを備えたことを要旨とする。
【０００６】
この構成によれば、表示装置の処理モードには複数のモードがあり、その処理モードは、例えば操作手段の操作に基づきモード設定手段によって所定のモードに設定される。続いて、その設定モードでの処理対象となる画像を選択指定するために、表示制御手段によって１以上の画像が表示手段に表示され、その画像の中から処理対象とすべき画像を選択操作すると、表示制御手段によって選択情報が表示手段に表示される。即ち、処理モードの処理対象となる画像を指定する際、表示制御手段は、画像を指定するための選択情報を各モードに応じた表示形態で表示する。従って、処理対象として指定された画像であることを表す選択情報を、各モードに適した状態で表示することが可能となり、１処理モードだけでなく、複数の処理モードで画像選択用の画面を表示することが可能となる。
【０００７】
本発明では、前記表示制御手段は、前記選択情報を前記画面に表示される画像上に表示することを要旨とする。
この構成によれば、選択情報と画像との関係が明確になり、どの選択情報がどの画像に対応するものであるかが直ぐに分かる。
【０００８】
本発明では、前記モード設定手段は、選択された画像に第１処理を行う第１モードと、選択された画像に第２処理を行う第２モードとの少なくとも２モードに前記処理モードを設定し、前記表示制御手段は、前記処理モードが前記第１モードの場合、前記選択情報として前記第１処理を施す枚数を指定する表示を画面に表示し、前記処理モードが第２モードの場合、前記選択情報として前記第２処理の対象であることを指定する表示を画面に表示させることを要旨とする。
【０００９】
この構成によれば、少なくとも第１モードの選択情報と第２モードの選択情報とが、各々のモードに適した表示形態で表示されるので、第１モードと第２モードとの両方において画像選択が行い易くなる。
【００１０】
本発明では、前記第１モードは、選択された画像に対し前記第１処理として印刷処理を行う印刷モードであり、前記第２モードは、選択された画像に対し前記第２処理として保存処理を行う保存モードであることを要旨とする。
【００１１】
この構成によれば、印刷モードの選択情報と保存モードの選択情報とが、各々のモードに適した表示形態で表示される。従って、印刷モードだけでなく、保存モードにおいても表示手段で画像を見ながら画像選択を行うことも可能となるので、印刷モードと保存モードとの両方で画像選択が行い易くなる。
【００１２】
本発明では、前記モード設定手段が複数の前記処理モードのうち特定の処理モードを設定する場合に、前記表示制御手段は、前記画面に表示された複数画像のうち、該特定の処理モードでの処理の対象となる各画像に対し、前記選択情報として当該処理のための処理条件を表示することを要旨とする。
【００１３】
この構成によれば、処理対象として指定された画像には、その処理条件が表示された状態となるので、画面上の画像を見れば、その画像に関する処理条件が直ぐに分かる。
本発明では、画像をスキャン可能なスキャン手段と、記憶媒体の画像を読み取り可能な読取手段とのうち、少なくともこれらの一方を画像の取込先として指定する指定手段を備え、前記モード設定手段は、前記指定手段で指定された取込先に準ずる動作モード下で、前記処理モードのモード設定を行うことを要旨とする。
【００１４】
この構成によれば、スキャン画像を処理対象画像とした場合と、読取画像を処理対象画像とした場合との両方で、処理対象として指定された画像であることを表す選択情報を、各モードに適した状態で表示することが可能となる。
【００１５】
本発明では、前記画面の表示画像のうち所定の画像を選択する選択手段と、一方側が操作されると画面上の数値が増加し、他方側が操作されると画面上の数値が減少する対の入力手段とを備え、前記表示制御手段は、前記処理モードが印刷モードの場合、前記選択手段による選択状態の画像に関し、前記入力手段の一方側が操作されると前記選択情報としての印刷枚数の数値表示を増加させ、前記入力手段の他方側が操作されると前記印刷枚数の数値表示を減少させ、前記表示制御手段は、前記処理モードが保存モードの場合、前記選択手段による選択状態の画像に関し、前記入力手段の一方側が操作されると前記選択情報として保存対象指定表示を付与し、前記入力手段の他方側が操作されると前記保存対象指定表示を消去することを要旨とする。
【００１６】
この構成によれば、印刷モードでの各画像に対する印刷枚数入力と、保存モードでの保存対象画像設定とが、同じ選択手段や入力手段を用いて行われる。従って、選択手段や入力手段が印刷モード及び保存モードで共用化され、例えばモード毎に選択手段や入力手段を設置する場合に比べ、部品点数、コスト、装置サイズ等の低減化を図ることが可能となる。
【００１７】
本発明では、印刷対象として選択された画像の総印刷枚数を算出する総印刷枚数算出手段と、保存対象として選択された画像を記憶媒体に記憶する際に、前記保存対象の画像のデータ容量及び前記記憶媒体の総記憶容量とに基づき当該記憶媒体の残り記憶容量を算出する残り記憶容量算出手段とを備え、前記表示制御手段は、前記処理モードが印刷モードの場合、前記総印刷枚数算出手段が算出した総印刷枚数を前記選択情報とともに画面に表示させ、前記処理モードが保存モードの場合、前記残り記憶容量算出手段が算出した前記記憶媒体の残り記憶容量を前記選択情報とともに画面に表示させることを要旨とする。
【００１８】
この構成によれば、印刷モードの場合には、画像の総印刷枚数算出手段により算出された画像の総印刷枚数が表示手段に表示されるので、ユーザは総印刷枚数を認識することが可能となる。また、保存モードの場合には、画像保存先の記憶媒体の残り記憶容量が残り記憶容量算出手段によって算出され、その算出値が残り記憶容量として表示手段に表示されるので、ユーザはあとどれくらいの画像を記憶媒体に保存できるかが認識可能になる。
【００１９】
本発明では、前記モード設定手段は、印刷モード及び保存モードの他に、印刷対象として選択された画像を印刷処理するとともに記憶媒体への保存も行う印刷保存モードを処理モードとして実行可能であり、前記印刷保存モードを実行した際に、印刷対象として選択された画像を、入力指定された印刷枚数分だけ印刷出力するとともに、その印刷対象の各画像を１枚分ずつ前記記憶媒体に保存する印刷保存実行手段を備えたことを要旨とする。
【００２０】
この構成によれば、印刷保存モードを実行すれば、選択指定した画像の印刷出力とともに、印刷対象の画像の記憶手段への保存も同時に実行される。従って、印刷操作を行えば、印刷のみならず印刷対象画像の保存も実施されることになり、装置としての利便性が向上する。
【００２１】
本発明では、各請求項のいずれか一項に記載の画像選択情報表示装置と、記憶媒体の画像を読み取り可能な読取手段と、前記読取手段で読み取られた画像データを印刷媒体に印刷出力可能な印刷機構とを備えたことを要旨とする。
【００２２】
本発明では、各請求項のいずれか一項に記載の画像選択情報表示装置と、画像をスキャン可能なスキャン手段と、記憶媒体の画像を読み取り可能な読取手段と、前記スキャン手段でスキャンされた画像データ、及び前記読取手段で読み取られた画像データを印刷媒体に印刷出力可能な印刷機構とを備えたことを要旨とする。
【００２３】
本発明では、画面を有する表示手段と、装置の処理モードを設定するモード設定手段と、前記表示手段の画面表示を制御する表示制御手段とを備えた画像選択情報表示装置の画像選択情報表示方法であって、前記モード設定手段で設定された各処理モードの実行時、そのモードでの処理対象となる画像を指定する際、前記表示制御手段は、取り込んだ画像データに基づき少なくとも１以上の画像を前記表示手段に表示させるとともに、画像を指定するための選択情報を各モードに応じた表示形態で前記表示手段に表示させることを要旨とする。
【発明を実施するための最良の形態】
【００２４】
以下、本発明を具体化した画像選択情報表示装置、印刷装置及び画像選択情報表示方法の一実施形態を図１〜図１０に従って説明する。
図１は、複合機（通称、ＳＰＣという）１の斜視図である。複合機１は、１台でスキャナ機能、プリント機能及びコピー機能を満たす機種である。スキャナ機能は、原稿台２にセットされた原稿をスキャンし、その読み取った画像データをデジタルデータ化する機能である。このスキャンデータは、複合機１からホストコンピュータへ送信可能である。プリント機能は、外部から取り込んだ画像データ（例えばホストコンピュータから受信した印刷データ）を印刷出力する機能である。また、コピー機能は、原稿台２にセットされた原稿をスキャンし、そのスキャンデータを印刷出力する機能である。複合機１は、外部記憶メディア３（例えばメモリカード等）が接続可能である。
【００２５】
図２は、複合機１の操作パネル４の平面図である。複合機１の前面部には、各種操作ボタン、ランプ、プレビューモニタ等を有する操作パネル４が配設されている。操作パネル４には、メニュー、設定項目、写真等を表示するプレビューモニタ（液晶表示器）５が配設されている。操作パネル４には、電源をオン／オフする電源ボタン６、ヘッドクリーニング、ノズルチェック、インク残量、ギャップ調整等を設定する各種設定ボタン７、実行中の動作を中止するストップボタン８、印刷／スキャンを開始するときに押すカラーとモノクロの２種類のスタートボタン９ａ，９ｂが配設されている。なお、外部記憶メディア３が記憶媒体を構成し、プレビューモニタ５が表示手段に相当する。
【００２６】
操作パネル４には、複合機１の動作モードを選択する動作モード選択ボタン１０が配設され、この動作モード選択ボタン１０には外部記憶メディアボタン１０ａと読取ボタン１０ｂとがある。外部記憶メディアボタン１０ａは、外部記憶メディア３内の画像の印刷出力や、外部記憶メディア３内の画像を他のメモリ（他の外部記憶メディア等）への保存を行う際に操作される。読取ボタン１０ｂは、スキャン画像の印刷出力や、スキャン画像のメモリ（外部記憶メディア３等）への保存を行う際に操作される。
【００２７】
また、複合機１が行うスキャン処理には少なくとも２種類あり、そのうち一種類のスキャン処理は、写真フィルムストリップの原稿から複数の画像を連続的に読み込み、それを印刷出力したり外部記憶メディア３に保存したりする処理（以下、透過原稿処理と言う）である。また、もう一種類のスキャン処理は、カットシートの原稿から画像を読み込み、それを印刷出力（通常のコピー処理）したり外部記憶メディア３に保存したりする処理（以下、反射原稿処理と言う）である。なお、透過原稿処理及び反射原稿処理の各々で、専用のボタン（フィルムボタン及びスキャンボタン）を設けてもよい。
【００２８】
操作パネル４には、プレビューモニタ５に表示されたメニュー内でカーソル操作を行う際に使用されるボタン群１１が配設されている。このボタン群１１には、項目や設定値を選択する際に使用される選択ボタン１２、選択／変更した設定を有効にするＯＫボタン１３、操作中の設定をキャンセルする戻るボタン１４、印刷枚数／部数を設定する印刷枚数ボタン１５がある。印刷枚数ボタン１５は、印刷枚数をインクリメントする際に押されるプラスボタン１５ａと、印刷枚数をデクリメントする際に押されるマイナスボタン１５ｂとからなる。なお、選択ボタン１２が選択手段に相当し、印刷枚数ボタン１５が入力手段に相当する。
【００２９】
図３は、複合機１の電気構成を示すブロック図である。複合機１は、同複合機１の全体を制御するためのコントローラ１６、原稿の画像を読み取るためのイメージスキャナ１７、及び画像のハードコピーを出力するためのプリンタ１８を備える。この複合機１は、外部記憶メディア３（典型的には、例えばデジタルスチルカメラで用いられているメモリカード或いはデジタルスチルカメラ等）を接続することが可能である。また、外部記憶メディア３としては、これら以外に例えばＣＤ−Ｒ、ＤＶＤ、ＭＯ、ＵＳＢフラッシュメモリ等がある。なお、コントローラ１６が指定手段、モード設定手段、表示制御手段、総印刷枚数算出手段、残り記憶容量算出手段及び印刷保存実行手段を構成し、イメージスキャナ１７がスキャン手段に相当し、プリンタ１８が印刷機構に相当する。
【００３０】
コントローラ１６は、外部記憶メディア３から画像データを読み込み、選択指定された画像をプリンタ１８で印刷出力（即ち、ダイレクト印刷）することや、外部記憶メディア３から画像データを読み込み、選択指定された画像を他の外部記憶メディア３等に保存（即ち、バックアップ）することが可能である。さらに、コントローラ１６は、外部記憶メディア３から画像データを読み込み、選択指定された画像をプリンタ１８で所定枚数印刷出力するとともに、その印刷対象となった画像の画像データを各々１枚分だけ外部記憶メディア３に保存（即ち、ダイレクト印刷及び保存）することも可能である。
【００３１】
また、コントローラ１６は、イメージスキャナ１７で読み取った画像データのうち、選択指定された画像をプリンタ１８で印刷出力（即ち、スキャントゥ印刷）することや、その読み取った画像データのうち、選択指定された画像を外部記憶メディア３等に格納（即ち、スキャントゥメモリ）することが可能である。さらに、コントローラ１６は、イメージスキャナ１７で読み取ったスキャン画像のうち、選択指定された画像を所定枚数印刷出力するとともに、その印刷対象となった画像の画像データを各々１枚分だけ外部記憶メディア３に保存（即ち、スキャントゥ印刷及び保存）することも可能である。
【００３２】
イメージスキャナ１７は、原稿シートの画像を読み取るときの動作モードとして、原稿シート上の指定された領域の画像を所定の高解像度で読み取る本スキャンと、本スキャンで読み取るべき原稿の領域を指定するために本スキャンの実行前に原稿シート全体の領域の画像を所定の低い解像度で読み取るプレスキャンとを有する。プレスキャンでは、本スキャンで得られる画像データより遙かに小さいサイズの画像データは、例えばＡ４サイズの原稿の画像が１６０ドット×１２０ドットのような小サイズの画像データとして読み取られる。
【００３３】
プリンタ１８は、例えばインクジェットプリンタが用いられ、キャリッジモータによるキャリッジの主走査方向への往復動と、紙送りモータによる用紙（印刷媒体）の紙送りとが可能である。プリンタ１８は、キャリッジモータを駆動することでキャリッジを１パス往動させ、その移動途中に所定タイミングで印刷ヘッドからインクを吐出して用紙にインクを付着させる。プリンタ１８は、１パス往動完了後に用紙を紙送りし、続いてキャリッジを１パス復動させるとともにその移動途中でインク吐出を行い、以上の動作を繰り返すことで印刷処理を行う。
【００３４】
複合機１は、エンコーダ１９、デコーダ２０、ラインバッファ２１、プレスキャン用ページバッファ２２、サムネイル用一時バッファ２３、外部メディアＩ／Ｆ（外部メディアインタフェース）２４、符号データバッファ２５等を備えている。エンコーダ１９は、ビットマップ形式の画像データを所定形式の符号データ、例えばＪＰＥＧ形式の画像データに圧縮変換する回路である。デコーダ２０は、所定形式の符号データ、例えばＪＰＥＧ形式の画像データを元のビットマップ形式の画像データに伸長変換する回路である。
【００３５】
なお、本例の外部メディアＩ／Ｆ２４は、複合機１が備えるメモリカードスロットであるが、この外部メディアＩ／Ｆ２４は、ＵＳＢやＩＥＥＥ１３９４等の所定の通信規格をサポートする（図示略）Ｉ／Ｆであって、外部機器に接続可能なＩ／Ｆであってもよい。この場合、外部記憶メディアがＣＤ−Ｒディスクであれば、ＣＤ−Ｒドライブが外部機器に相当する。外部記憶メディアとしてメモリカードのように外部メディアＩ／Ｆに直接接続される場合であっても、外部記憶メディアを装着した外部機器が外部メディアＩ／Ｆに接続される場合であっても、それら外部記憶メディアの読み書きのアクセスは、結局、外部メディアＩ／Ｆ２４の指示に基づき行われる。従って、外部メディアＩ／Ｆ２４が読取手段に相当する。
【００３６】
ラインバッファ２１は、イメージスキャナ１７が原稿画像を読み取るときに、イメージスキャナ１７から出力される１ライン分又は所定複数ライン分の画像データを一時的に記憶するメモリである。プレスキャン用ページバッファ２２は、イメージスキャナ１７のプレスキャンにより読み取られた小サイズ（例えば、１６０ドット×１２０ドット）の画像データを一時的に記憶するメモリである。サムネイル用一時バッファ２３は、ダイレクト印刷、バックアップ、スキャントゥメモリ又はスキャントゥ印刷を行う際に、対象となる画像のサムネイル画像データを一時的に記憶するメモリである。符号データバッファ２５は、スキャントゥメモリ等を行う際にエンコーダ１９から出力される符号データ（例えば、ＪＰＥＧ形式のデータ）や、ダイレクト印刷又はバックアップ等を行う際に外部記憶メディア３から読み込まれた符号データ（例えば、ＪＰＥＧ形式のデータ）を、所定の単位転送量分だけ一時的に記憶するメモリである。
【００３７】
外部メディアインタフェース２４は、複合機１に接続された外部記憶メディア３とデータを通信する回路である。プレビューモニタ５は、ダイレクト印刷、バックアップ、ダイレクト印刷及び保存、スキャントゥメモリ、スキャントゥ印刷、スキャントゥ印刷及び保存等を行う際に、各種選択画面、処理対象となる画像／サムネイル画像を表示する。各種ボタン群６〜１１は、ユーザからの指令を複合機１に入力するボタンである。各種ボタン群６〜１１で入力できる指令には、例えばダイレクト印刷、バックアップ、ダイレクト印刷及び保存の対象となる画像を指定する指令、スキャントゥメモリ、スキャントゥ印刷又はスキャントゥ印刷及び保存の対象となる画像を指定する指令、プレスキャンで読み取られた原稿画像中から本スキャンすべき領域を指定する指令などがある。
【００３８】
コントローラ１６は、各種ボタン群６〜１１の操作時に出力される操作信号に基づき、その操作に応じた画面が表示されるようにプレビューモニタ５を表示制御する。例えば、コントローラ１６は、外部記憶メディアボタン１０ａが押されると図４に示す第１選択画面２６をプレビューモニタ５に表示させる。コントローラ１６は、読取ボタン１０ｂが押されるとまず最初に図５に示す原稿処理選択画面２７を表示させ、その下位層で図６に示す第２選択画面２８をプレビューモニタ５に表示させる。
【００３９】
次に、ダイレクト印刷の動作を説明する。
ダイレクト印刷を行うときには、ユーザは外部記憶メディア３を外部メディアＩ／Ｆ２４に接続し、複合機１の動作モードを設定すべく、操作パネル４上の外部記憶メディアボタン１０ａを押下する。なお、外部記憶メディア３の外部メディアＩ／Ｆ２４への接続は、例えば外部記憶メディア３がメモリカードの場合には、複合機１のスロットに差し込むことにより行い、ＣＤ−Ｒドライブ等の場合には、接続ケーブルで複合機１とドライブとを接続することにより行う。
【００４０】
外部記憶メディアボタン１０ａが押下されると、コントローラ１６は、使用対象画像が外部記憶メディア３の画像である外部記憶メディア内画像処理に複合機１の動作モードを設定し、図４に示す第１選択画面２６をプレビューモニタ５に表示させる。第１選択画面２６は、メモリーカード内画像処理の下位モードを設定する選択画面である。第１選択画面２６には、複合機１の処理モードを印刷モード（即ち、ダイレクト印刷）に設定する項目と、複合機１の処理モードを保存モード（即ち、バックアップ）に設定する項目と、複合機１の処理モードを印刷保存モード（即ち、ダイレクト印刷及び保存）に設定する項目とがある。
【００４１】
印刷モードは、外部記憶メディア３に記憶された画像のうち、選択指定された画像を設定枚数分印刷出力するモードである。保存モードは、外部記憶メディア３に記憶された画像のうち、選択指定された画像を他のメモリ（例えば、外部記憶メディア３以外の他の外部記憶メディア）に書き込むモードである。印刷保存モードは、上記した印刷モードと保存モードとが１つになったモードであり、外部記憶メディア３に記憶された画像のうち、選択指定された画像を設定枚数分印刷出力するとともに、その印刷対象の画像を他のメモリに書き込むモードである。
【００４２】
ここで、印刷モードの項目が選択指定されたとすると、コントローラ１６は複合機１の処理モードをダイレクト印刷に設定し、プレビュー及び画像選択の処理を実行する。この処理において、まず外部メディアＩ／Ｆ２４は、外部記憶メディア３に格納されている画像複数のＥＸＩＦファイル２９Ａ、２９Ｂ、２９Ｃ、…から順次にＪＰＥＧサムネイル画像データ３０Ａ、…を所定の転送単位量分ずつ逐次に読み込む。外部メディアＩ／Ｆ２４は、逐次に読み込んだＪＰＥＧサムネイル画像データ３０Ａ、…の転送単位量分をデコーダ２０に送る。デコーダ２０は、入力されたＪＰＥＧサムネイル画像データ３０Ａ、…を入力順に逐次にデコードしていくことで、元のビットマップ形式の複数のサムネイル画像を順次に復元していきつつ、復元された画像データをプレビューモニタ５に送る。
【００４３】
その結果、コントローラ１６は、外部記憶メディア３内の画像のサムネイル画像が一覧表示された図７に示す印刷用画像一覧画面３１をプレビューモニタ５に表示させる。この印刷用画像一覧画面３１には、一覧表示されたサムネイル画像のうち所定の１枚を印刷条件（印刷枚数）入力状態にする四角状の選択枠３２と、各サムネイル画像毎に入力された印刷枚数３３とが表示されている。選択枠３２は、操作パネル４の選択ボタン１２の操作により、プレビューモニタ５上を上下左右に移動することが可能である。なお、印刷枚数３３が選択情報を構成し、ここで言う印刷条件（例えば、印刷枚数の他に、画像処理内容、印刷モード、用紙サイズ、印刷画質の詳細（コントラスト、シャープ等）など）が処理条件に相当する。
【００４４】
印刷用画像一覧画面３１上のサムネイル画像は、選択枠３２で選択指定された状態になると、印刷枚数３３が入力可能な状態となる。印刷枚数３３は、印刷枚数ボタン１５のプラスボタン１５ａを１回ずつ押すことにより１枚単位で枚数が増えていき、一方でマイナスボタン１５ｂを１回ずつ押すことにより１枚単位で枚数が減っていき、サムネイル画像に重なった状態で表示される。ユーザは、印刷用画像一覧画面３１の複数のサムネイル画像の中から、印刷対象となる１以上の画像を選択するとともに、その印刷枚数を入力する。
【００４５】
なお、第１選択画面２６で印刷モードの項目が選択指定された後に、プレビューモニタ５に全画像印刷と選択画像印刷とを選ぶ画面を表示させてもよい。この画面で選択画像印刷が選択されれば、上述した手順で印刷したい画像の選択指定が行われる。一方で、全画像印刷が選択された場合、全ての画像が印刷対象として設定され、各画像に印刷枚数が「１」と表示された印刷用画像一覧画面３１がプレビューモニタ５に表示される。このとき、その印刷用画像一覧画面３１が表示された状態で、印刷枚数ボタン１５のプラスボタン１５ａが押される度に全画像の印刷枚数が２、３、…と増えていき、マイナスボタン１５ｂが押される度に全画像の印刷枚数が減っていくようにしてもよい。なお、これは、後述する各処理についても同様に言えることである。
【００４６】
また、コントローラ１６は、内部のカウンタを用いて画像の総印刷枚数をカウントし、総印刷枚数を印刷用画像一覧画面３１に数値表示する。総印刷枚数のカウント方法としては、印刷用画像一覧画面３１が表示された後に、例えば印刷枚数ボタン１５のプラスボタン１５ａが押される度にカウンタをインクリメントし、一方でマイナスボタン１５ｂが押される度にカウンタをデクリメントすることで行う方法がある。従って、印刷用画像一覧画面３１には、一覧画像の下側に総印刷枚数３１ａが数値表示された状態となる。コントローラ１６は、この算出処理を印刷枚数が入力される度に行うことから、総印刷枚数３１ａは、印刷枚数が入力される度に数値がリアルタイムに変化する。
【００４７】
さらに、印刷用画像一覧画面３１の一覧画像は、例えば選択ボタン１２の左右を押すことでスクロールすることが可能である。本例は、プレビューモニタ５の一画面に９枚の画像のみを表示可能であることから、例えば３０枚の画像を取り込んだ場合には、まず最初に９枚の画像がプレビューモニタ５に表示される。そして、例えば選択ボタン１２の右側が押されると、次の９枚の画像がプレビューモニタ５に表示され、取り込んだ画像枚数に応じてこの操作が繰り返される。
【００４８】
プレビュー及び画像選択の処理が終わると、コントローラ１６はメイン画像読込及び印刷の処理を実行する。この処理において、まず外部メディアＩ／Ｆ２４は、外部記憶メディア３から、ユーザ選択された印刷対象の画像のＥＸＩＦファイル（一例として、ＥＸＩＦファイル２９Ａであるとする）のＪＰＥＧメイン画像データ３４Ａを転送単位量分ずつ逐次に読み込む。外部メディアＩ／Ｆ２４は、逐次に読み込んだＪＰＥＧメイン画像データ３４Ａの転送単位量分をデコーダ２０に送る。デコーダ２０は、入力されたＪＰＥＧメイン画像データ３４Ａを入力順に逐次にデコードしていくことで、元のビットマップ形式のメイン画像データへ徐々に復元していきつつ、復元されたメイン画像データをプリンタ１８に転送する。プリンタ１８は、転送されてきた元のビットマップ形式のメイン画像データが、その印刷処理を開始するのに必要な所定量分だけ貯まると、そのメイン画像の印刷処理を開始する。
【００４９】
なお、メイン画像の印刷を行う前に、ユーザがメイン画像のトリミングをプレビューモニタ５で行って印刷したい範囲を指定できる機種もある。この機種の場合、デコーダ２０から出力される元のビットマップ形式のメイン画像データを、プリンタ１８に転送する前に、プレビューモニタ５に送って表示するようにしてもよい。
【００５０】
次に、バックアップの動作を説明する。
この場合、バックアップの一例として、例えば所定の外部記憶メディア３から他の外部記憶メディア３に画像を保存（例えば、メモリカードからＣＤ−Ｒドライブへ保存）する場合を例にとる。なお、所定の外部記憶メディア３から他の外部記憶メディア３に画像を保存する場合、２つの外部記憶メディア３のうち保存元と保存先は適宜選択して設定することが可能である。
【００５１】
まず、バックアップを行うときには、ユーザは２つの外部記憶メディア３を外部メディアＩ／Ｆ２４に接続し、複合機１の動作モードを設定すべく、操作パネル４の外部記憶メディアボタン１０ａを押下する。すると、コントローラ１６は、使用対象画像が外部記憶メディア３の画像である外部記憶メディア内画像処理に複合機１の動作モードを設定し、図４に示す第１選択画面２６をプレビューモニタ５に表示させる。この第１選択画面２６は、ダイレクト印刷時のものと同様の画面である。
【００５２】
第１選択画面２６で保存モードの項目が選択指定されると、コントローラ１６は複合機１の動作モードをバックアップモードに設定し、プレビュー及び画像選択の処理を実行する。この処理において、まず外部メディアＩ／Ｆ２４は、外部記憶メディア３に格納されている画像複数のＥＸＩＦファイル２９Ａ、２９Ｂ、２９Ｃ、…から順次にＪＰＥＧサムネイル画像データ３０Ａ、…を所定の転送単位量分ずつ逐次に読み込む。そして、外部メディアＩ／Ｆ２４は、逐次に読み込んだＪＰＥＧサムネイル画像データ３０Ａ、…の転送単位量分をデコーダ２０に送る。デコーダ２０は、入力されたＪＰＥＧサムネイル画像データ３０Ａ、…を入力順に逐次にデコードしていくことで、元のビットマップ形式の複数のサムネイル画像を順次に復元していきつつ、復元された画像データをプレビューモニタ５に送る。
【００５３】
その結果、コントローラ１６は、外部記憶メディア３内の画像のサムネイル画像が一覧表示された図８に示す保存用画像一覧画面３５をプレビューモニタ５に表示させる。この保存用画像一覧画面３５には、一覧表示されたサムネイル画像のうち所定の１枚を保存チェック入力状態にする四角状の選択枠３６と、各サムネイル画像毎に保存チェックボックス３７とが表示されている。選択枠３６は、操作パネル４の選択ボタン１２の操作により、プレビューモニタ５上を上下左右に移動することが可能である。
【００５４】
保存用画像一覧画面３５上のサムネイル画像は、選択枠３６で選択された状態になると、保存チェックボックス３７に保存チェック（レ点）３７ａが入力可能な状態となる。保存チェック３７ａは、印刷枚数ボタン１５のプラスボタン１５ａを押すことでボックス３７内に付与された状態となり、マイナスボタン１５ｂを押すことでボックス３７内から消去された状態となる。なお、保存チェック３７ａの付与は、プラスボタン１５ａ（又はマイナスボタン１５ｂ）が奇数回押されるとチェック付与状態となり、奇数回押されるとチェックが解除状態となるようにしてもよい。ユーザは、保存用画像一覧画面３５の複数のサムネイル画像の中から、保存対象となる１以上の画像を選択する。なお、保存チェック３７ａが選択情報（保存対象指定表示、処理条件）を構成する。
【００５５】
また、コントローラ１６は、保存対象として指定された画像のメモリ量と、保存先である外部記憶メディア３の総記憶容量とを基に、外部記憶メディア３の残り記憶容量を算出し、それを保存用画像一覧画面３５に数値表示する。この処理として、まずコントローラ１６は、保存対象の画像が指定された時点でそのメモリ量を算出して内部カウンタに書き込み、保存対象の画像が決まる度に新たな画像メモリ量をカウンタ値に加算していく。コントローラ１６は、予め外部記憶メディア３の総記憶容量を把握しており、カウンタ加算と同時に加算値と外部記憶メディア３の総記憶容量との差を算出し、この差分値を残り記憶容量として算出する。
【００５６】
そして、コントローラ１６は、上記の手順で算出した残り記憶容量を保存用画像一覧画面３５に数値表示する。従って、保存用画像一覧画面３５には、一覧画像の下側に外部記憶メディア３の残り記憶容量３５ａが数値表示された状態となる。コントローラ１６は、この算出処理を保存対象画像が指定される度に行うことから、残り記憶容量３５ａは、保存対象画像が指定される度に数値がリアルタイムに変化する。なお、保存用画像一覧画面３５の表示画像も、取り込んだ全画像が一度に画面表示できない場合には、印刷用画像一覧画面３１と同様にスクロールが可能である。
【００５７】
プレビュー及び画像選択の処理が終わると、コントローラ１６は保存処理を実行する。この処理において、まず外部メディアＩ／Ｆ２４は、保存チェックボックス３７のチェックが付与された保存対象の画像について、外部記憶メディア３からＥＸＩＦファイル２９Ａ，２９Ｂ，２９ＣのＪＰＥＧサムネイル画像データ３０Ａ、…及びＪＰＥＧメイン画像データ３４、…を転送単位量分ずつ逐次に読み込む。
【００５８】
例えば、メモリカード内の３つのＥＸＩＦファイル２９Ａ〜２９Ｃのうち２９Ａ，２９Ｃが保存対象として選択された場合、まずＥＸＩＦファイル２９ＡのＪＰＥＧサムネイル画像データ３０Ａ及びＪＰＥＧメイン画像データ３４Ａが転送単位量分ずつ読み込まれる。続いて、ＥＸＩＦファイル２９ＣのＪＰＥＧサムネイル画像データ３０Ｃ及びＪＰＥＧメイン画像データ３４Ｃが転送単位量分ずつ読み込まれる。外部メディアＩ／Ｆ２４は、逐次に読み込んだＥＸＩＦファイル２９Ａ、…の画像データをＣＤ−Ｒドライブに順次書き込んで保存を行う。なお、ここでは説明の便宜上、２つの外部記憶メディア３を１つの外部メディアＩ／Ｆ２４に接続するものとしていたが、複合機１が複数の外部メディアＩ／Ｆ２４を備え、それぞれのＩ／Ｆごとに保存元と保存先の外部記憶メディア３をそれぞれ接続してもよい。
【００５９】
次に、ダイレクト印刷及び保存を説明する。
ダイレクト印刷及び保存は、印刷出力の時点まではダイレクト印刷で行われる処理内容とほぼ同じであり、異なる点としては、ユーザにより選択指定された画像を印刷出力すると同時に、その印刷指定された画像を他の外部記憶メディア３に保存するという点である。例えば、「Ａ」という画像を３枚、「Ｂ」という画像を２枚、「Ｃ」という画像を１枚印刷出力するように指定した場合、印刷処理ではこれらＡ〜Ｃが印刷枚数分だけ印刷出力されるとともに、Ａ〜Ｃの画像データがそれぞれ１枚分ずつ他の外部記憶メディア３に保存される。
【００６０】
次に、スキャントゥ印刷の動作を説明する。
ここで、スキャン処理には、フィルムをスキャン原稿とする透過原稿処理と、カットシートをスキャン原稿とする反射原稿処理との２種類があるが、まず透過原稿処理について説明する。なお、反射原稿処理は、透過原稿処理と比べ原稿自体が違うだけで基本的な処理は同じであるので、反射原稿処理の説明は省略する。スキャントゥ印刷を行うときには、ユーザは、写真フィルムストリップのように複数の原稿画像３８Ａ〜３８Ｃを有する原稿シート３８をイメージスキャナ１７にセットする。そして、複合機１の動作モードを設定すべく、ユーザは操作パネル４上の読取ボタン１０ｂを押下する。
【００６１】
ここで、読取ボタン１０ｂが押下されると、コントローラ１６は、使用対象画像がスキャン画像である原稿画像処理に複合機１の動作モードを設定し、図５に示す原稿処理選択画面２７をプレビューモニタ５に表示させる。この原稿処理選択画面２７は、原稿画像処理の下位モードを設定する選択画面である。原稿処理選択画面２７には、複合機１の処理モードを反射原稿処理に設定する透過原稿処理の項目と、複合機１の処理モードを透過原稿処理に設定する反射処理の項目とがある。
【００６２】
ここでは、スキャン処理が透過原稿処理の場合を説明していることから、原稿処理選択画面２７では透過原稿処理の項目が選択指定される。透過処理の項目が選択指定されると、コントローラ１６は、使用対象画像が写真フィルムの画像である透過原稿処理に複合機１の動作モードを設定し、図６に示す第２選択画面２８をプレビューモニタ５に表示させる。第２選択画面２８は、透過原稿処理の下位モードを設定する選択画面である。第２選択画面２８には、複合機１の処理モードをスキャン印刷モード（即ち、スキャントゥ印刷）に設定する項目と、複合機１の処理モードをスキャン保存モード（即ち、スキャントゥメモリ）に設定する項目と、複合機１の処理モードをスキャン印刷保存モード（即ち、スキャントゥ印刷及び保存）に設定する項目とがある。
【００６３】
スキャン印刷モードは、原稿シート３８上の複数の画像のうち、選択指定された画像を設定枚数分、スキャン印刷するモードである。スキャン保存モードは、原稿シート３８乗の複数の画像のうち、選択指定された画像をスキャンしてメモリに書き込むモードである。スキャン印刷保存モードは、上記したスキャン印刷モードとスキャン保存モードとが１つになったモードであり、選択指定された画像を設定枚数分、スキャン印刷するとともに、その印刷対象のスキャン画像をメモリに書き込むモードである。
【００６４】
第２選択画面２８でスキャン印刷モードの項目が選択指定されたとすると、コントローラ１６は複合機１の処理モードをスキャントゥ印刷に設定し、イメージスキャナ１７により原稿シート３８のプレスキャンを行う。この処理において、まずイメージスキャナ１７は、原稿シート３８の全体領域を所定の低い解像度で１ラインずつ逐次に読み取って出力し、逐次に出力される１ライン分の画像データをラインバッファ２１に書き込む。ラインバッファ２１に書き込まれた１ライン分の画像データは、直ちにプレスキャン用ページバッファ２２に転送されて蓄積される。プレスキャンが終わったとき、プレスキャン用ページバッファ２２には、プレスキャンで読み取られた原稿シート３８の領域のビットマップ形式のプレスキャン画像データ３９が記憶されている。前述したように、このプレスキャン画像データ３９のデータサイズは、本スキャンで読み取られるメイン画像データより小さい。
【００６５】
プレスキャンが終わると、コントローラ１６は、プレスキャンで読み取られた原稿画像の中から本スキャンすべき領域を判定する処理を行う。なお、この領域判定処理は自動的に行われる。即ち、プレスキャン用ページバッファ２２内のプレスキャン画像データ３９をコントローラ１６が調べて、中から複数の原稿画像３８Ａ〜３８Ｃの領域をそれぞれ検出して、それらを本スキャンすべき領域として選ぶ。なお、この領域判定処理は、ユーザがマニュアル操作で行うようにしてもよい。
【００６６】
領域判定処理が終わると、コントローラ１６は表示用のサムネイル画像をＪＰＥＧ形式に符号化する処理を行う。この処理において、まずエンコーダ１９は、プレスキャン用ページバッファ２２からプレスキャン画像データ３９を読み込む。このとき、エンコーダ１９は、プレスキャン画像データ３９の中から、前述した領域判定で指定された複数の原稿画像３８Ａ〜３８Ｃに相当する画像データ部分を選択して順次に読み込む。エンコーダ１９は、読み込んだ各原稿画像３８Ａ〜３８Ｃに対応する画像データ部分を所定サイズの小領域に細分し、それらの小領域を順次にＪＰＥＧ形式に符号化していきながら、逐次に得られる各小領域の符号データを所定の単位転送量ずつ符号データバッファ２５に書き込む。
【００６７】
符号データバッファ２５に書き込まれた単位転送量の符号データは、書き込まれると直ちにサムネイル用一時バッファ２３に転送されて蓄積される。この表示用サムネイル符号化処理が終わった段階で、サムネイル用一時バッファ２５には、複数の原稿画像３８Ａ、３８Ｂ、３８Ｃのプレスキャンデータからそれぞれ変換された複数のＪＰＥＧサムネイル画像データ４０Ａ、４０Ｂ、４０Ｃが格納されている。
【００６８】
表示用サムネイル符号化処理が終わると、コントローラ１６はプレビュー及び画像選択の処理を行う。この処理において、まずデコーダ２０は、サムネイル用一時バッファ２５から、複数のＪＰＥＧサムネイル画像データ４０Ａ、４０Ｂ、４０Ｃを順次に読み込んで、元のビットマップ形式のサムネイル画像データへ順次に復元していきつつ、復元されたサムネイル画像データをプレビューモニタ５に送る。
【００６９】
その結果、コントローラ１６は、スキャン画像のサムネイル画像が一覧表示された図７に示す印刷用画像一覧画面３１をプレビューモニタ５に表示させる。なお、図７に示す印刷用画像一覧画面３１は、ダイレクト印刷とスキャン印刷とで共用しているが、通常は取り込む画像が違えば、各々異なる画像を載せた画面が表示されることになる。ユーザは、選択ボタン１２及び印刷枚数ボタン１５を操作することにより、印刷用画像一覧画面３１の複数のサムネイル画像の中から、印刷対象となる１以上の画像を選択するとともにその印刷枚数を入力する。
【００７０】
プレビュー及び画像選択の処理が終わると、コントローラ１６は、ユーザが選択指定した画像についてイメージスキャナ１７で本スキャンを行い、本スキャンで取り込んだ画像データを印刷出力する処理を行う。この処理において、まずイメージスキャナ１７は本スキャンを開始して、原稿シート３８のうち領域判定で指定された領域の画像を、所定の高解像度で１ラインずつ逐次に読み取って出力する、この逐次に出力される１ライン分の画像データは、ラインバッファ２１を経由してプリンタ１８に送られる。プリンタ１８は、転送されてきたビットマップ形式のメイン画像データが、その印刷処理を開始するのに必要な所定量分だけ貯まると、そのメイン画像の印刷処理を開始する。
【００７１】
この本スキャンで読み取られる画像データ（即ち、図３に示す本スキャンデータ４１）がメイン画像データであり、これは例えば３００ｄｐｉのような高解像度で読み取られるデータである。本スキャン画像データ４１は、その画像全体のデータサイズが通常はメガバイトオーダ以上であり、プレスキャン画像データ３９よりも遙かにデータ量が多いデータである。
【００７２】
なお、操作パネル４の読取ボタン１０ｂを押し、プレスキャンによる表示動作を伴う処理を選択した場合、外部記憶メディアボタン１０ａ等のモード設定ボタンをマスク、つまり操作を許可しない状態としてもよい。これは、プレスキャンでサムネイル画像を表示した後、本スキャンを実行して印刷や保存等を行うモードが実行されている最中に、ユーザが他のモード設定用のボタンを誤って押下したにも拘らず、その押下されたモードに変更すると、再びサムネイル画像を表示するまでに時間がかかるためである。
【００７３】
なお、プレスキャンによる表示動作を伴う処理を選択すると、プレビューモニタ５に原稿処理選択画面２７や第２選択画面２８を表示した状態や、第２選択画面２８で選択指定した項目を実行している状態となる。マスクを開始するタイミングは、モードの実行が指示されたときでも、プレスキャンを開始したときのどちらでもよい。また、マスク状態の解除は上記理由からユーザのキャンセル意志が明確な場合にのみ行うのが好ましく、例えばストップボタン８が押された場合マスクを解除する。もちろん、選択指定した項目の処理が終了した場合にもマスクは解除される。
【００７４】
次に、スキャントゥメモリの動作を説明する。
この動作についても透過原稿処理の場合で説明する。第２選択画面２８でスキャン保存モードの項目が選択指定されると、コントローラ１６は複合機１の処理モードをスキャントゥメモリに設定し、前述したプレスキャン、領域選択処理及びサムネイル符号化処理の各処理を実行する。これら処理は、スキャントゥ印刷の場合と同様の処理内容であるので、詳細については省略する。サムネイル符号化処理が終わると、コントローラ１６はスキャントゥ印刷の場合と同様の処理内容でプレビュー及び画像選択の処理を行う。
【００７５】
その結果、コントローラ１６は、スキャン画像のサムネイル画像が一覧表示された図８に示す保存用画像一覧画面３５をプレビューモニタ５に表示させる。なお、図８に示す保存用画像一覧画面３５は、スキャントゥ印刷とスキャントゥメモリとで共用しているが、通常はスキャン画像が違えば、各々異なる画像を載せた画面が表示されることになる。ユーザは、選択ボタン１２及び印刷枚数ボタン１５を操作し、保存チェックボックス３７に保存チェック３７ａを付与することで、保存用画像一覧画面３５の複数のサムネイル画像の中から保存対象となる１以上の画像を選択する。
【００７６】
プレビュー及び画像選択の処理が終わると、コントローラ１６は、サムネイル用一時バッファ２３内のＪＰＥＧサムネイル画像データ４０Ａ〜４０Ｃのうち、ユーザ選択されたＪＰＥＧサムネイル画像を外部記憶メディア３に格納する処理を行う。まず、サムネイル用一時バッファ２３は、自身が保存している複数のＪＰＥＧサムネイル画像データ４０Ａ〜４０Ｃのうち、前述したプレビュー及び画像選択の処理でユーザにより選択された１枚目の画像データを、符号データバッファ２５を経由して外部メディアＩ／Ｆ２４に送る。外部メディアＩ／Ｆ２４は、サムネイル用一時バッファ２３から送られてきた画像データを外部記憶メディア３に書き込む。外部メディアＩ／Ｆ２４は、受け取ったＪＰＥＧサムネイル画像データ（例えば、４０Ａとする）を外部記憶メディア３に書き込む際、ＥＸＩＦ形式のファイル４２Ａを新たに作成し、受け取ったＪＰＥＧサムネイル画像データ４０ＡをそのＥＸＩＦファイル４２Ａに書き込む。
【００７７】
サムネイル格納処理が終わると、コントローラ１６は、本スキャンと、その本スキャンで読み取られたメイン画像の符号化処理を行う。この処理においては、画像選択で指定された原稿シート３８上の原稿画像の各々（例えば３８Ａとする）が、スキャントゥ印刷で説明した本スキャン及び符号化処理と実質的に同様の方法で、イメージスキャナ１７により高解像度で読み取られるとともにＪＰＥＧ形式に符号化される。そして、本スキャンにより得られたＪＰＥＧメイン画像データ４１Ａが、外部記憶メディア３内の対応するＥＸＩＦファイル４２Ａに書き込まれる。
【００７８】
ユーザ選択された一つの原稿画像について本スキャン及び符号化処理が終わると、他のユーザ選択された一つの原稿画像について、前述したサムネイル格納処理と本スキャン及び符号化処理が実行される。そして、これが繰り返されて、結果として、選択された全ての原稿画像が外部記憶メディア３にＥＸＩＦファイル４２Ａ、４２Ｂ，…の形式で格納され、以後、デジタルスチルカメラで撮影された画像と同様に取り扱うこと（例えば、ダイレクト印刷を行うことなど）が可能になる。
【００７９】
次に、スキャントゥ印刷及び保存の動作を説明する。
スキャントゥ印刷及び保存は、印刷出力の時点まではスキャントゥ印刷で行われる処理内容とほぼ同じであり、異なる点としては、ユーザにより選択指定されたスキャン画像を印刷出力すると同時に、その印刷指定されたスキャン画像を外部記憶メディア３に保存するという点である。例えば、「Ａ」、「Ｂ」、「Ｃ」という画像をスキャン処理した場合、印刷対象として「Ａ」と「Ｃ」が選択指定されたとすると、「Ａ」と「Ｃ」のスキャン画像が印刷出力されるとともに、これらのスキャン画像のサムネイル画像データ及びメイン画像データが外部記憶メディア３に保存される。
【００８０】
次に、コントローラ１６が外部記憶メディア内画像処理を実行する際の手順を図９に示すフローチャートに従って説明する。
ステップ１００では、外部記憶メディアボタン１０ａが押下されたか否かを判断する。外部記憶メディアボタン１０ａが押下されていればステップ１０１に移行し、押下されていなければ待機する。
【００８１】
ステップ１０１では、プレビューモニタ５に第１選択画面２６（図４参照）を表示させる。このとき、ユーザは、操作パネル４上の選択ボタン１２及びＯＫボタン１３を用い、第１選択画面２６の各項目（印刷モード、保存モード、印刷保存モード）の中から所望の項目を選択指定する。
【００８２】
ステップ１０２では、第１選択画面２６で印刷モードが選択されたか否かを判断する。ここで、印刷モードが選択されていればステップ１０３に移行し、印刷モードが選択されていなければステップ１０６に移行する。
【００８３】
ステップ１０３では、ダイレクト印刷を実行すべく、外部記憶メディア３に記憶された画像のサムネイル画像を、画像ごとに印刷条件（印刷枚数）が入力可能な状態でプレビューモニタ５に一覧表示する。即ち、図７に示す印刷用画像一覧画面３１がプレビューモニタ５に表示される。
【００８４】
ステップ１０４では、画像及び印刷条件指定処理を行う。即ち、ユーザは、操作パネル４の選択ボタン１２を操作して印刷用画像一覧画面３１の画像のうち印刷したい画像に選択枠３２を合わせ、そこで印刷枚数ボタン１５を操作することで印刷枚数を入力する操作を実行する。
【００８５】
ステップ１０５では、画像及び印刷条件指定処理が完了した後、スタートボタン９ａ（９ｂ）が押されたことを条件に印刷処理を実行する。従って、外部記憶メディア３内の画像のうち、ステップ１０４で選択指定された画像が印刷出力される。
【００８６】
ステップ１０６では、第１選択画面２６で印刷保存モードが選択されたか否かを判断する。ここで、印刷保存モードが選択されていなければステップ１０７に移行し、印刷保存モードが選択されていればステップ１１２に移行する。
【００８７】
ステップ１０７では、第１選択画面２６で保存モードが選択されたか否かを判断する。ここで、保存モードが選択されていればステップ１０８に移行し、保存モードが選択されていなければステップ１０２に戻り、どのモードが選択されたかの判断を再度行う。
【００８８】
ステップ１０８では、バックアップを実行すべく、外部記憶メディア３に記憶された画像のサムネイル画像を、保存指定可能な状態でプレビューモニタ５に一覧表示する。即ち、図８に示す保存用画像一覧画面３５がプレビューモニタ５に表示される。
【００８９】
ステップ１０９では、保存対象とすべき画像を選択指定する保存画像指定処理を行う。即ち、ユーザは、操作パネル４の選択ボタン１２を操作して保存用画像一覧画面３５の画像のうち保存したい画像に選択枠３６を合わせ、そこで印刷枚数ボタン１５のプラスボタン１５ａを押すことで保存チェックを実行する。
【００９０】
ステップ１１０では、選択指定した画像の保存先を指定する保存先メモリ指定処理を実行する。即ち、ユーザは、操作パネル４を操作することで保存先のメモリ（例えば、ＣＤ−Ｒドライブ）を指定する。
【００９１】
ステップ１１１では、保存画像指定処理及び保存先メモリ指定処理が完了した後、ＯＫボタン１３が押されたことを条件に保存処理を実行する。従って、外部記憶メディア３内の画像のうち、ステップ１０９で選択指定された画像が他の外部記憶メディア３（例えば、メモリカード→ＣＤ−Ｒドライブ）に保存される。
【００９２】
ステップ１１２では、ダイレクト印刷及び保存を実行すべく、外部記憶メディア３に記憶された画像のサムネイル画像を、画像ごとに印刷条件（印刷枚数）が入力可能な状態でプレビューモニタ５に一覧表示する。即ち、ダイレクト印刷の場合と同様に、図７に示す印刷用画像一覧画面３１がプレビューモニタ５に表示される。
【００９３】
ステップ１１３では、ステップ１０４の場合と同様に画像及び印刷条件指定処理を行う。
ステップ１１４では、ステップ１１０と同様に保存先メモリ指定処理を実行する。ここでは、操作パネル４がユーザにより操作されることで、例えばＣＤ−Ｒドライブ等が保存先メモリとして指定される。
【００９４】
ステップ１１５では、画像及び印刷条件指定処理が完了した後、スタートボタン９ａ（９ｂ）が押されたことを条件に印刷処理及び保存処理を実行する。即ち、印刷用画像一覧画面３１で選択指定された画像が指定枚数分印刷出力されるとともに、その印刷対象画像が１枚ずつ保存先の外部記憶メディア３に保存される。
【００９５】
次に、コントローラ１６が原稿画像処理を実行する際の手順を図１０に示すフローチャートに従って説明する。
ステップ２００では、読取ボタン１０ｂが押下されたか否かを判断する。読取ボタン１０ｂが押下されていればステップ２０１に移行し、押下されていなければ待機する。
【００９６】
ステップ２０１では、プレビューモニタ５に原稿処理選択画面２７（図５参照）を表示させる。このとき、ユーザは、選択ボタン１２で項目選択を行うとともにＯＫボタン１３で項目指定することで、原稿処理選択画面２７の各項目（透過原稿処理、反射原稿処理）の中から所望の項目を選択指定する。
【００９７】
ステップ２０２では、プレビューモニタ５に第２選択画面２８（図６参照）を表示させる。このとき、ユーザは、操作パネル４上の選択ボタン１２及びＯＫボタン１３を用い、第２選択画面２８の各項目（スキャン印刷モード、スキャン保存モード、スキャン印刷保存モード）の中から所望の項目を選択指定する。
【００９８】
ステップ２０３では、第２選択画面２８で印刷モードが選択されたか否かを判断する。ここで、スキャン印刷モードが選択されていればステップ２０４に移行し、スキャン印刷モードが選択されていなければステップ２０８に移行する。
【００９９】
ステップ２０４では、スキャントゥ印刷を実行すべく、プレスキャンを実行する。即ち、写真フィルムストリップ等の原稿シート３８をプレスキャンし、原稿シート３８の各原稿画像３８Ａ〜３８Ｃについてサムネイル画像データを取得する。
【０１００】
ステップ２０５では、プレスキャンにより得られた画像のサムネイル画像を、画像ごとに印刷条件（印刷枚数）が入力可能な状態でプレビューモニタ５に一覧表示する。即ち、図７に示す印刷用画像一覧画面３１がプレビューモニタ５に表示される。
【０１０１】
ステップ２０６では、ステップ１０４と同様に画像及び印刷条件指定処理を行う。
ステップ２０７では、画像及び印刷条件指定処理が完了した後、スタートボタン９ａ（９ｂ）が押されたことを条件にスキャン印刷を実行する。従って、プレスキャンで取り込んだスキャン画像のうち、ステップ２０６で選択指定された画像が順に本スキャン及び印刷出力される。
【０１０２】
ステップ２０８では、第２選択画面２８でスキャン印刷保存モードが選択されたか否かを判断する。ここでスキャン印刷保存モードが選択されていなければステップ２０９に移行し、スキャン印刷保存モードが選択されていればステップ２１５に移行する。
【０１０３】
ステップ２０９では、第２選択画面２８でスキャン保存モードが選択されたか否かを判断する。ここで、スキャン保存モードが選択されていればステップ２１０に移行し、スキャン保存モードが選択されていなければステップ２０３に戻り、どのモードが選択されたかの判断を再度行う。
【０１０４】
ステップ２１０では、スキャントゥメモリを実行すべく、ステップ２０４と同様にプレスキャンを実行する。
ステップ２１１では、プレスキャンにより得られた画像のサムネイル画像を、保存指定可能な状態でプレビューモニタ５に一覧表示する。即ち、図８に示す保存用画像一覧画面３５がプレビューモニタ５に表示される。
【０１０５】
ステップ２１２では、ステップ１０９と同様に、保存対象とすべき画像を選択指定する保存画像指定処理を行う。
ステップ２１３では、ステップ１１１と同様に、選択指定した画像の保存先を指定する保存先メモリ指定処理を実行する。ここでは、操作パネル４がユーザにより操作されることで、例えばメモリカード等が保存先メモリとして指定される。
【０１０６】
ステップ２１４では、保存画像指定処理及び保存先メモリ指定処理が完了した後、ＯＫボタン１３が押されたことを条件にスキャン保存を実行する。即ち、プレスキャンで取り込んだスキャン画像のうち、ステップ２１２で選択指定された画像が順に本スキャンされ、そのメイン画像データが同画像のサムネイル画像データに対応付けられて外部記憶メディア３に保存される。
【０１０７】
ステップ２１５では、スキャントゥ印刷及び保存を実行すべく、ステップ２０４やステップ２１０と同様にプレスキャンを実行する。
ステップ２１６では、プレスキャンにより得られた画像のサムネイル画像を、画像ごとに印刷条件（印刷枚数）が入力可能な状態でプレビューモニタ５に一覧表示する。即ち、スキャントゥ印刷の場合と同様に、図７に示す印刷用画像一覧画面３１がプレビューモニタ５に表示される。
【０１０８】
ステップ２１７では、ステップ２０６の場合と同様に画像及び印刷条件指定処理を行う。
ステップ２１８では、ステップ２１３と同様に保存先メモリ指定処理を実行する。
【０１０９】
ステップ２１９では、画像及び印刷条件指定処理が完了した後、スタートボタン９ａ（９ｂ）が押されたことを条件にスキャン印刷及びスキャン保存を実行する。即ち、印刷用画像一覧画面３１で選択していされた画像がスキャン印刷されるとともに、その印刷対象画像のサムネイル画像データ及びメイン画像データが保存先の外部記憶メディア３に保存される。
【０１１０】
上記実施形態の構成によれば、以下に記載の効果を得ることができる。
（１）複合機１が印刷モード（印刷保存モード）の場合には、印刷対象画像を選択指定する画面として印刷用画像一覧画面３１をプレビューモニタ５に表示し、複合機１が保存モードの場合には、保存対象画像を選択指定する画面として保存用画像一覧画面３５をプレビューモニタ５に表示する。従って、複数の画像の中から処理対象画像を選択指定する画面を、各モードに応じた表示形態で表示することができ、しかもプレビューモニタ５に一覧画像を表示させてそこから処理対象画像を選択指定するという操作を、印刷モードのときだけでなく保存モードの際にも行うことができる。また、プレビューモニタ５に一覧画像を表示させて、そこから対象画像を選ばせるという操作は、視覚的な面から非常に選択操作が行い易いが、本例はこの選択指定形式を印刷モード及び保存モードの両者で採用していることから、両モードとも画像の選択指定が行い易くなる。
【０１１１】
（２）印刷モード（印刷保存モード）では、印刷用画像一覧画面３１の一覧画像のうち、印刷対象とすべき画像に印刷枚数を表示することで、印刷対象として指定されたことを表している。従って、外部記憶メディア３やイメージスキャナ１７から取り込んだ複数の画像のうち、どれが印刷対象として指定され、しかもその画像が何枚印刷されるのかが直ぐに分かる。
【０１１２】
（３）保存モードでは、保存用画像一覧画面３５の一覧画像のうち、保存対象として指定された画像に保存チェック３７ａが各々付与される。従って、保存対象である画像については画像ごとに保存チェック３７ａが付与されることから、保存対象画像とそうでない画像との見分けが容易に付き、一覧画像のうちどれが保存対象画像かが直ぐに分かる。
【０１１３】
（４）外部記憶メディア内画像処理（即ち、外部記憶メディアボタン１０ａが押された際の動作モード）と、原稿画像処理（即ち、読取ボタン１０ｂが押された際の動作モード）とのどちらにおいても、処理モード（印刷モード、保存モード、印刷保存モード）の選択操作が行われる。従って、外部記憶メディア内画像処理及び原稿画像処理の両方の動作モードで、処理モード選択操作を行うことができる。
【０１１４】
（５）印刷枚数ボタン１５は、印刷モード時の印刷枚数入力時に使用されるとともに、保存モード時の保存チェック３７ａの付与にも使用される。従って、印刷モード及び保存モードの両方のモードで印刷枚数ボタン１５が共用でき、例えば別々にボタンを設ける場合に比べ、部品点数、コスト、装置サイズの低減化を図ることができる。
【０１１５】
（６）印刷用画像一覧画面３１には、総印刷枚数が表示されるので、ユーザは総印刷枚数を逐次認識することができる。また、保存用画像一覧画面３５には、画像の保存先である外部記憶メディア３の残り記憶容量が表示されるので、ユーザはあとどれくらいの画像が外部記憶メディア３に保存できるかを容易に確認することができる。
【０１１６】
（７）印刷対象として設定された画像を印刷出力するとともに、その印刷対象画像を外部記憶メディア３に保存する印刷保存モードを、複合機１の処理モードに設けた。従って、印刷操作を行えば、印刷のみならず印刷対象画像の保存も実施されることになるので、保存操作の手間を省くことができ、装置の利便性が向上する。
【０１１７】
なお、上記実施形態は以下のように変更してもよい。
（変形例１）外部記憶メディア３のデータ保存形式は、ＥＸＩＦファイル形式に限定されず、例えば本画像のみを記憶する保存形式でもよい。この場合、プレビューモニタ５にサムネイル画像を表示する際には、本画像を間引くことで行われることになる。
【０１１８】
（変形例２）プレビューモニタ５は、タッチパネル式でもよい。この場合、各種ボタン群６〜１１を省略することができる。
（変形例３）複合機１の動作モードを設定するボタンは、外部記憶メディアボタン１０ａ及び読取ボタン１０ｂだけに限らず、これら以外に例えばコピー処理用のボタンを設けてもよい。
【０１１９】
（変形例４）複合機１は、印刷モードの際に必ずしも印刷枚数が設定できることに限らず、例えば印刷枚数入力機能を省略し、印刷対象となる画像を選択するだけの機能のみを備える機種でもよい。
【０１２０】
（変形例５）バックアップ、ダイレクト印刷及び保存、スキャントゥメモリ、スキャントゥ印刷及び保存を行う際の画像保存先（記憶手段）は、外部記憶メディア３に限らず、例えば複合機１内のメモリ、ホストコンピュータのメモリでもよい。また、印刷モード（印刷保存モード）時のバックアップは、ある所定のメモリから他のメモリへ保存することに限定されず、例えば１つのメモリ内において、所定のフォルダから他のフォルダへ保存するものでもよい。また、バックアップ、ダイレクト印刷及び保存時の画像読取対象（記憶媒体）は、外部記憶メディア３に限らず、例えば複合機１内のメモリや、ホストコンピュータのメモリでもよい。
【０１２１】
（変形例６）印刷モードでは、印刷対象画像の一括選択が可能としたが、これと同様に保存モードでも一括選択が可能としてもよい。
（変形例７）印刷装置は、複合機１に限らず、スキャン機能のない機種（即ち、スタンドアロン式）でもよい。また、印刷装置は、外部記憶メディア３の画像を読み取って印刷出力する機能を必ず備える必要はなく、この機能を省略した機種でもよい。
【０１２２】
（変形例８）印刷装置は、インクジェット式プリンタに限らず、例えばドットインパクト式、サーマル式、熱転写式、レーザ式等でもよい。
次に、上記実施形態及び別例から把握できる技術的思想について以下に追記する。
【０１２３】
（１）表示手段に表示された画像に対して各モードに応じた所定の処理を施すとき、そのモードでの処理対象となる画像を指定する際にコンピュータにより実行される画像選択情報表示用プログラムであって、ユーザにより選択された装置の処理モードを取得する手順と、選択された前記処理モードでの処理対象となる画像を指定させるべく、取り込んだ画像データに基づき少なくとも１以上の画像を前記表示手段に表示させるとともに、画像を指定するための選択情報を各モードに応じた表示形式で前記表示手段に表示させる手順と、前記表示手段に表示された画像の中から、前記選択情報に基づきユーザ指定の画像を取り込む手順と、取り込んだ前記画像データに対し、設定された処理モードに応じた処理を施す手順とをコンピュータに実行させることを特徴とする画像選択情報表示用プログラム。
【０１２４】
（２）請求項１〜９のうちいずれか一項に記載の表示装置と、画像をスキャン可能なスキャン手段と、前記スキャン手段でスキャンされた画像データを印刷媒体に印刷出力可能な印刷機構とを備えた印刷装置。
【０１２５】
（３）請求項１〜９のいずれかにおいて、前記記憶手段は、装置に対し着脱可能な外部記憶装置である。
【図面の簡単な説明】
【０１２６】
【図１】一実施形態における複合機の斜視図。
【図２】複合機の操作パネルの平面図。
【図３】複合機の電気構成を示すブロック図。
【図４】プレビューモニタに表示された外部記憶メディア内処理の画面図。
【図５】プレビューモニタに表示された原稿画像処理の画面図。
【図６】プレビューモニタに表示された原稿画面処理の下位層の画面図。
【図７】プレビューモニタに表示された印刷用画像一覧画面の画面図。
【図８】プレビューモニタに表示された保存用画像一覧画面の画面図。
【図９】外部記憶メディア内画像処理ルーチンを示すフローチャート。
【図１０】原稿画像処理ルーチンを示すフローチャート。
【符号の説明】
【０１２７】
３…記憶媒体としての外部記憶メディア、５…表示手段としてのプレビューモニタ、１２…選択手段としての選択ボタン、１５…入力手段としての印刷枚数ボタン、１６…指定手段、モード設定手段、表示制御手段、総印刷枚数算出手段、残り記憶容量算出手段及び印刷保存実行手段を構成するコントローラ、１７…スキャン手段としてのイメージスキャナ、１８…印刷機構としてのプリンタ、２４…読取手段としての外部メディアＩ／Ｆ、３１ａ…総印刷枚数、３３…選択情報（処理条件）を構成する印刷枚数、３５ａ…残り記憶容量、３７ａ…選択情報（保存対象指定表示）を構成する保存チェック。
【図１】
2006094426.tif 000003
【図２】
2006094426.tif 000004
【図３】
2006094426.tif 000005
【図４】
2006094426.tif 000006
【図５】
2006094426.tif 000007
【図６】
2006094426.tif 000008
【図７】
2006094426.tif 000009
【図８】
2006094426.tif 000010
【図９】
2006094426.tif 000011
【図１０】
2006094426.tif 000012